(57)【要約】  エレベーターの利用者の安全性および利便性を確保できるエレベーターを容易かつ安価に実現するため、エレベーター（１００）の状態に応じて信号を出力する構成部から入力された信号に応じて開閉する複数の無電圧接点の開閉状態を有電圧接点信号に変換する電圧変換回路（２０１）と、複数の入力ポートのうち有電圧接点から信号が入力された入力ポートに対応する出力ポートから当該出力ポートに割り当てられて無電圧接点の開閉状態に応じたテキストデータを出力するデータ出力回路（２０２）と、データ出力回路（２０２）から出力されたテキストデータに基づいて、所定の電話番号を宛先に指定したテキストメッセージを送信する無線送信機（２０３）と、を備えた遠隔監視支援装置（２００）を構成した。
2019224928.tif 000002
【特許請求の範囲】
【請求項１】
エレベーターの状態に応じた信号を出力する複数の構成部のうちのいずれか一つの構成部にそれぞれ接続され入力された信号に応じて開閉する複数の無電圧接点と、各前記無電圧接点にそれぞれ対応する複数の有電圧接点とを備え、前記有電圧接点から、対応する前記無電圧接点の開閉状態を示す有電圧接点信号を出力する電圧変換回路と、
前記電圧変換回路の有電圧接点にそれぞれ接続される複数の入力ポートと、各前記入力ポートにそれぞれ対応する複数の出力ポートとを備え、前記出力ポートから、対応する前記入力ポートに入力された前記有電圧接点信号に応じたテキストデータを出力するデータ出力回路と、
前記データ出力回路から出力されたテキストデータに基づいて、所定の電話番号を宛先に指定したテキストメッセージを送信する無線送信機と、
を備えたことを特徴とするエレベーターの遠隔監視支援装置。
【請求項２】
前記出力ポートには、それぞれ、対応する前記無電圧接点の開閉状態に応じた複数のテキストデータが割り当てられており、
前記データ出力回路は、前記出力ポートから、対応する前記入力ポートに入力された前記有電圧接点信号が示す前記無電圧接点の開閉状態に応じたテキストデータを出力することを特徴とする請求項１に記載のエレベーターの遠隔監視支援装置。
【請求項３】
前記出力ポートには、それぞれ、対応する前記無電圧接点の開閉状態に応じた複数のバイナリデータが割り当てられており、
前記データ出力回路は、前記出力ポートから、対応する前記入力ポートに入力された前記有電圧接点信号が示す前記無電圧接点の開閉状態に応じたバイナリデータを出力することを特徴とする請求項１に記載のエレベーターの遠隔監視支援装置。
【発明の詳細な説明】
【技術分野】
【０００１】
この発明は、エレベーターの遠隔監視を支援するエレベーターの遠隔監視支援装置に関する。
【背景技術】
【０００２】
従来、複数のエレベーターとそれぞれ通信をおこなうことにより各エレベーターの状態を遠隔地から監視するサーバコンピュータを備えたエレベーターの遠隔監視システムがあった。このようなエレベーターの遠隔監視システムにおいては、エレベーターの状態の判定や作業員の派遣にかかる処理など、エレベーターの安全運行にかかる各種の処理をサーバコンピュータにおいておこなうことにより、エレベーターにおける処理負荷の軽減を図ることができる。【０００３】
関連する技術として、従来、たとえば、自己を保守・管理する保守端末の情報を記憶するエレベーターのコントローラ（制御盤）と、当該コントローラの遠隔に配置された保守サーバとの間で定期的に通信をおこなって当該コントローラが記憶する保守端末の情報を定期的に更新し、保守サーバがダウンした場合は当該コントローラと保守員が携行する保守端末との間における連絡を可能にすることにより、保守サーバがダウンしても保守員を派遣できるようにした技術があった（たとえば、下記特許文献１を参照。）。
【先行技術文献】
【特許文献】
【０００４】
【特許文献１】特開２０１５−１３７３０号公報
【発明の概要】
【発明が解決しようとする課題】
【０００５】
しかしながら、たとえば、旧型のエレベーターなどであって、設置時においては遠隔監視を想定していなかったエレベーターの場合、当該エレベーターが通信機能を備えていないため、エレベーターの設置後に遠隔監視をおこなうことが難しいという問題があった。また、この場合、遠隔監視に対応していないエレベーターにおいて障害が発生すると、当該障害の発見が遅れたり、当該障害を解消するための対応が遅れたりするという問題があった。【０００６】
また、従来の技術は、通信機能を備えていないエレベーターに、サーバコンピュータとの通信機能を追加する場合、作業が大掛かりになって工期が長くなり、エレベーターを使用できない期間が長くなってしまうことによって、エレベーターの利用者に不便をかけてしまうという問題があった。【０００７】
また、設置時に通信機能を備えたエレベーターであっても、当該エレベーターの遠隔監視にかかるサーバコンピュータとの通信は当該エレベーターの製造元（メーカー）ごとに固有の信号を用いておこなわれることが多く、メーカーあるいは当該メーカーと提携するエレベーター管理会社（以下、適宜「メーカーなど」という）とは独立した独立系の保守管理会社がエレベーターの遠隔監視をおこなうことが難しいという現状があった。【０００８】
このため、従来、エレベーターの管理責任者がエレベーターの遠隔監視を含む保守管理に費やす経費（保守管理費）はエレベーターごとのメーカーなどによって一意に設定される傾向にあり、エレベーターの管理責任者が保守管理費の低減を図ることが難しいという問題があった。【０００９】
また、上述した特許文献１を含む従来の技術によるエレベーターの遠隔監視システムは、エレベーターの安全運行にかかる処理負荷がサーバコンピュータに集中するため、高性能のサーバコンピュータが必要になり、システムの構築や維持にコストがかかり、維持管理にかかる負担が大きいという問題があった。【００１０】
この発明は、上述した従来技術による問題点を解消するため、エレベーターの利用者の安全性および利便性を確保できるエレベーターを容易かつ安価に実現することができるエレベーターの遠隔監視支援装置を提供することを目的とする。
【課題を解決するための手段】
【００１１】
上述した課題を解決し、目的を達成するため、この発明にかかるエレベーターの遠隔監視支援装置は、エレベーターの状態に応じた信号を出力する複数の構成部のうちのいずれか一つの構成部にそれぞれ接続され入力された信号に応じて開閉する複数の無電圧接点と、各前記無電圧接点にそれぞれ対応する複数の有電圧接点とを備え、前記有電圧接点から、対応する前記無電圧接点の開閉状態を示す有電圧接点信号を出力する電圧変換回路と、前記電圧変換回路の有電圧接点にそれぞれ接続される複数の入力ポートと、各前記入力ポートにそれぞれ対応する複数の出力ポートとを備え、前記出力ポートから、対応する前記入力ポートに入力された前記有電圧接点信号に応じたテキストデータを出力するデータ出力回路と、前記データ出力回路から出力されたテキストデータに基づいて、所定の電話番号を宛先に指定したテキストメッセージを送信する無線送信機と、を備えたことを特徴とする。【００１２】
また、この発明にかかるエレベーターの遠隔監視支援装置は、上記の発明において、前記出力ポートには、それぞれ、対応する前記無電圧接点の開閉状態に応じた複数のテキストデータが割り当てられており、前記データ出力回路が、前記出力ポートから、対応する前記入力ポートに入力された前記有電圧接点信号が示す前記無電圧接点の開閉状態に応じたテキストデータを出力することを特徴とする。【００１３】
また、この発明にかかるエレベーターの遠隔監視支援装置は、上記の発明において、前記出力ポートには、それぞれ、対応する前記無電圧接点の開閉状態に応じた複数のバイナリデータが割り当てられており、前記データ出力回路が、前記出力ポートから、対応する前記入力ポートに入力された前記有電圧接点信号が示す前記無電圧接点の開閉状態に応じたバイナリデータを出力することを特徴とする。
【発明の効果】
【００１４】
この発明にかかるエレベーターの遠隔監視支援装置によれば、エレベーターの利用者の安全性および利便性を確保できるエレベーターを容易かつ安価に実現することができるという効果を奏する。
【図面の簡単な説明】
【００１５】
【図１】図１は、この発明にかかる実施の形態のエレベーターの遠隔監視支援装置の適用対象となるエレベーターの構成の一例を示す説明図である。
【図２】図２は、この発明にかかる実施の形態のエレベーターの遠隔監視支援装置の構成を示す説明図である。
【図３】図３は、無線送信機の一例を示す説明図である。
【図４】図４は、タブレット型コンピュータの一例を示す説明図である。
【図５】図５は、タブレット型コンピュータのハードウエア構成を示す説明図である。
【図６】図６は、物件管理データベースの一例を示す説明図である。
【図７】図７は、表示画面の一例を示す説明図である。
【図８】図８は、タブレット型コンピュータの処理手順を示すフローチャートである。
【発明を実施するための形態】
【００１６】
以下に添付図面を参照して、この発明にかかるエレベーターの遠隔監視支援装置の好適な実施の形態を詳細に説明する。
【００１７】
（エレベーターの構成の一例）
まず、この発明にかかる実施の形態のエレベーターの遠隔監視支援装置の適用対象となるエレベーターの構成の一例について説明する。図１は、この発明にかかる実施の形態のエレベーターの遠隔監視支援装置の適用対象となるエレベーターの構成の一例を示す説明図である。図１において、エレベーター１００は、たとえば、ロープ式（トラクション式）のエレベーター１００によって実現することができる。
【００１８】
エレベーター１００は、たとえば、複数階建てのビルなどの建物内に設置される。エレベーター１００が備える各部は、制御盤１０１によって駆動制御される。制御盤１０１は、エレベーター１００が備える各部と接続されており、たとえば、制御盤１０１からエレベーター１００が備える各部に対する信号、いわゆる「下り信号」を出力する。また、制御盤１０１は、たとえば、エレベーター１００が備える各部から制御盤１０１に対する信号、いわゆる「上り信号」を受け付ける。
【００１９】
エレベーター１００は、建物における各階床を、鉛直方向に沿って貫通する昇降路（図示を省略する）を備えている。昇降路は、１台のエレベーター１００に１つずつ設けられている。昇降路内には、人や物品を搭載するカゴ（乗りカゴ）１０２が設けられている。カゴ１０２は、１台のエレベーター１００、すなわち、１つの昇降路に１つずつ設けられており、昇降路の方向すなわち鉛直方向に沿って昇降移動する。カゴ１０２は、図示を省略するカゴ枠によって支持されており、当該枠とともに昇降移動する。
【００２０】
昇降路の側面には、カゴ１０２（カゴ枠）の昇降位置をガイドするガイドレール（図示を省略する）が設けられている。昇降路の底部には、万一、カゴ１０２が落下して底面に衝突したときの衝撃を和らげる緩衝器１０３が設けられている。緩衝器１０３は、バネの弾性力を利用して衝撃を和らげるバネ式の緩衝器であってもよく、油圧抵抗を利用して衝撃を和らげる油入式の緩衝器であってもよい。緩衝器１０３は、昇降路の天井面にも設けられていてもよい。
【００２１】
昇降路における各階床に対応した位置（乗り場）１０４には、それぞれ扉１０４ａが設けられている。乗り場１０４に設けられた扉１０４ａは、図示を省略するインターロックなどと称される装置で施錠されている。インターロックは、カゴ１０２が停止階に到着した状態でカゴ１０２の扉１０２ａを開閉させるモーターを駆動した場合にのみ、カゴ１０２の扉１０２ａの開閉機構とかみ合って施錠を解放する。これにより、カゴ１０２が位置する階床における乗り場１０４に設けられた扉１０４ａのみを連動して開閉することができる。
【００２２】
各乗り場１０４には、それぞれ、操作盤１０５が設置されている。操作盤１０５は、それぞれ、乗り場呼びボタン１０５ａ、カゴ１０２が位置する階床などを表示する表示器１０５ｂなどを備えている。また、操作盤１０５は、それぞれ、操作盤１０５用の制御基板１０５ｃを備えている。各操作盤１０５は、それぞれが備える制御基板１０５ｃを介して制御盤１０１に接続されている。
【００２３】
カゴ１０２は、ロープ１０６の一端に連結されている。ロープ１０６は、つるべ式に滑車（図示を省略する）および巻上機（トラクションマシン）１０７に架けられ、他端がカウンタウエイト１０８に連結されている。ロープ１０６は、具体的には、たとえば、鋼鉄製のワイヤーによって実現することができる。
【００２４】
ロープ式のエレベーター１００における巻上機１０７は、たとえば、エレベーター１００の最上部に設けられた機械室に設置される。巻上機１０７は、機械室の有無にかかわらず、エレベーター１００における最上部に設けることができる。あるいは、エレベーター１００が、機械室がないタイプである場合、巻上機１０７は、エレベーター１００における下部に設けられるものであってもよい。
【００２５】
巻上機１０７は、たとえば、インバーターを介して制御盤１０１に接続されており、カゴ１０２を停止させる階床において回転を停止するように制御盤１０１によって駆動制御される。ロープ式のエレベーター１００においては、巻上機１０７を駆動することによって発生する、ロープ１０６と滑車との間の摩擦力（トラクション）を利用して、カゴ１０２を昇降させる。
【００２６】
巻上機１０７は、図示を省略するエンコーダを備えており、制御盤１０１はエンコーダからの出力信号に基づいて、巻上機１０７の回転速度や回転位置を判断することができる。エンコーダは、たとえば、アブソリュートエンコーダを用いてもよく、インクリメンタルエンコーダを用いてもよい。
【００２７】
カゴ１０２の底部には、カウンタウエイト１０８の底部に一端が連結された重量バランス調整用のワイヤーロープ（あるいは、鎖）の他端が連結されている（図示を省略する）。これにより、たとえば、高層建築物に設置されるエレベーター１００において、ロープ１０６の重量に起因して、最上階や最下階の近辺においてカゴ１０２側とカウンタウエイト１０８側との重量のバランスの不均衡が生じてロープ１０６が巻上機１０７のシーブから滑り落ちてしまうことを確実に防止することができる。
【００２８】
また、エレベーター１００は、電磁ブレーキ１０９、調速機（ガバナマシン）１１０、リミットスイッチ１１１などを備えている。電磁ブレーキ１０９は、コイルを備え、制御盤１０１によって駆動制御されて当該コイルに通電することにより発生する電磁力を利用して、巻上機１０７の回転を停止する。電磁ブレーキ１０９は、巻上機１０７の回転を停止した状態を保持することができる。
【００２９】
電磁ブレーキ１０９は、停電などによって電源の供給が停止した場合に、巻上機１０７の回転を制止する。電磁ブレーキ１０９は、具体的には、たとえば、停電時などコイルへの通電が切れたときにスプリングの力で動作して巻上機１０７の回転を制止する無励磁作動型の電磁ブレーキ１０９を用いることができる。
【００３０】
調速機１１０は、カゴ１０２の速度超過を検出する。調速機１１０は、たとえば、ガバナロープ１１０ａ、ガバナプーリー１１０ｂ、回転錘（図示を省略する）などを備えた遠心調速機によって実現することができる。このような調速機１１０において、ガバナロープ１１０ａは、カゴ１０２の動作と連動する。ガバナプーリー１１０ｂは、ガバナロープ１１０ａの動作に連動して回転する。
【００３１】
回転錘は、ガバナプーリー１１０ｂの回転速度、すなわち、ガバナプーリー１１０ｂの回転に起因する遠心力の大きさに応じて動作する。具体的に、回転錘は、ガバナプーリー１１０ｂの回転速度が速い場合にガバナプーリー１１０ｂの外周側に開くように動作し、ガバナプーリー１１０ｂの回転速度が遅い場合にガバナプーリー１１０ｂの内周側に閉じるように動作する。
【００３２】
リミットスイッチ１１１は、巻上機１０７に対する電源の供給／遮断を切り替えるスイッチレバー（図示を省略する）を備えている。スイッチレバーは、平時は巻上機１０７に対して電源を供給する位置に位置付けられており、調速機１１０の回転錘に付勢された場合に、巻上機１０７に対する電源の供給を遮断する位置に変位する。
【００３３】
調速機１１０の回転錘は、カゴ１０２の昇降速度が、定格速度に対して一定速以上の速度になった場合に、スイッチレバーが巻上機１０７に対する電源の供給を遮断する位置に変位するように、スイッチレバーを付勢する。これにより、カゴ１０２に速度超過が発生したときに、巻上機１０７の動作を停止し、カゴ１０２を停止させることができる。
【００３４】
さらに、エレベーター１００は、図示を省略する非常停止装置を備えていてもよい。非常停止装置は、カゴ１０２の動作とガバナロープ１１０ａの動作とが異なる場合、すなわち、ガバナロープ１１０ａが停止しているにもかかわらずカゴ１０２が動作している場合に、カゴ１０２の動作を強制的に停止させる。非常停止装置は、公知の各種の技術を用いて容易に実現することができるため、説明を省略する。
【００３５】
カゴ１０２には、操作盤１０２ｂが設けられている。操作盤１０２ｂは、各種の操作ボタンや、カゴ１０２が位置する階床などを表示する表示器を備えている（図２を参照）。また、カゴ１０２には、扉１０２ａを開閉させるモーター、扉開閉センサ、障害物検出装置、荷重センサなどの各種のセンサ（図３を参照）やブザー（図示を省略する）などが設けられている。
【００３６】
カゴ１０２の上部には、カゴ上ボックス１１２が設けられている。カゴ上ボックス１１２は、たとえば、カゴ１０２の天井板の上、すなわち、カゴ１０２の外側に設けられる。カゴ上ボックス１１２には、電源回路や制御回路などを備えた電気回路を構成する基板が収容されている。
【００３７】
操作盤１０２ｂ、扉１０２ａを開閉させるモーター、扉開閉センサ、障害物検出装置、荷重センサなどの各種のセンサおよびブザーなど、カゴ１０２に設けられた各種の負荷は、カゴ上ボックス１１２が収容する基板の電気回路に電気的に接続されている。カゴ１０２に設けられた各種の負荷と、電気回路との間には、リレーや変圧器あるいはインバーターなどが介在していてもよい。
【００３８】
リレーや変圧器あるいはインバーターは、電気回路に搭載されていてもよい。具体的に、たとえば、扉１０２ａを開閉させるモーターと電気回路とを、インバーターを介して接続することができる。これにより、扉１０２ａの開閉速度を制御することができる。
【００３９】
扉１０２ａを開閉させるモーターは、正逆方向に回転可能であって、たとえば、扉１０２ａを開く際に正方向に回転し、扉１０２ａを閉める際に逆方向に回転する。扉１０２ａを開閉させるモーターは、たとえば、カゴ１０２の天井板の上に設けられている。扉開閉センサは、扉１０２ａの開閉状態を検出する。扉開閉センサは、たとえば、扉１０２ａや扉１０４ａが開状態にあるか閉状態にあるかに応じて出力が変化するマイクロスイッチや光電センサなどによって実現することができる。
【００４０】
障害物検出装置は、対をなす扉１０２ａの間における人などの物体の挟まりを検知する。具体的に、障害物検出装置は、たとえば、対をなす扉１０２ａの間に設けられて、扉１０２ａの開き方向に突出するように付勢されたセーフティーシューや、当該セーフティーシューが扉１０２ａの内側に押し込まれた場合に、対をなす扉１０２ａの間における物体の挟まりを検知したことを示す信号を出力するマイクロスイッチなどによって構成することができる。
【００４１】
荷重センサは、カゴ１０２における積載荷重を検出する。具体的に、荷重センサは、たとえば、ロードセルによって実現することができる。ロードセルは、たとえば、カゴ１０２の底部とカゴ枠との間に設けられる。ブザーは、荷重センサの検出結果に応じてブザー音を出力する。ブザーは、カゴ１０２における積載荷重（質量）が、当該カゴ１０２にかかる定格積載荷重（質量）などの所定の質量を超過した場合にブザー音を出力する。
【００４２】
（エレベーター１００の遠隔監視支援装置の構成）
つぎに、エレベーターの遠隔監視支援装置の構成について説明する。図２は、この発明にかかる実施の形態のエレベーター１００の遠隔監視支援装置の構成を示す説明図である。図２において、この発明にかかる実施の形態のエレベーター１００の遠隔監視支援装置２００は、電圧変換回路２０１と、データ出力回路２０２と、無線送信機２０３と、を備えている。
【００４３】
電圧変換回路２０１は、複数の無電圧接点と、複数の有電圧接点とを備えている（いずれも図示を省略する）。無電圧接点は、それぞれ、エレベーター１００の状態に応じた信号を出力する複数の構成部のうちのいずれか一つの構成部にそれぞれ接続されており、入力された信号に応じて開閉する。
【００４４】
無電圧接点は、エレベーター１００が備える各部のうち、たとえば、制御盤１０１に対する信号、いわゆる「上り信号」を出力する構成部からの信号の入力を受け付け、入力された信号に応じて開閉する。具体的には、無電圧接点は、たとえば、カゴ１０２の扉１０２ａの開閉状態を検知するセンサに接続することができる。
【００４５】
カゴ１０２の扉１０２ａの開閉状態を検知するセンサと無電圧接点とは、タイマーを介して接続されていてもよい。これにより、たとえば、カゴ１０２の扉１０２ａが所定時間以上継続して開状態となっている場合にのみ、当該センサからの信号の入力を受け付けるようにすることができる。
【００４６】
また、具体的には、無電圧接点は、たとえば、エレベーター１００の電源に接続されていてもよい。エレベーター１００において、複数の電圧（たとえば、１００Ｖと２００Ｖ）を使用している場合、無電圧接点は、電圧ごとの配線に接続する。これにより、停電などによりエレベーター１００への給電が停止して、電源からの信号出力が停止すると、無電圧接点に入力する信号が変化するため、エレベーター１００への給電状態に応じて無電圧接点を開閉させることができる。
【００４７】
また、具体的には、無電圧接点は、たとえば、エレベーター１００の安全回路に接続されていてもよい。エレベーター１００の安全回路は、エレベーター１００の状態が安全ではない場合に信号を出力する。具体的には、エレベーター１００の安全回路は、たとえば、速度超過を検知した場合、カゴ１０２が最上階または最下階の停止位置を行き過ぎたことを検知した場合、非常停止装置が作動した場合などに信号を出力する。
【００４８】
また、具体的には、無電圧接点は、たとえば、エレベーター１００に設置された火災報知器やカゴ１０２を昇降させる巻上機１０７のインバーターに接続されていてもよい。これにより、火災報知器が作動した場合や、カゴ１０２を昇降させる巻上機１０７のインバーターが規定以外の動作をした場合に、無電圧接点において信号の入力を受け付けることができる。
【００４９】
無電圧接点は、エレベーター１００が備える各部のうち、たとえば、制御盤１０１のＣＰＵから出力される信号、いわゆる「下り信号」の入力を受け付け、入力された信号に応じて開閉するものであってもよい。具体的には、無電圧接点は、たとえば、制御盤１０１から巻上機１０７に対して出力される信号の入力を受け付けてもよい。
【００５０】
無電圧接点は、電磁石と接点機構とを備えたリレーによって実現することができる。リレーにおいて、電磁石は、鉄心と、当該鉄心に巻かれたコイルと、鉄心に対して接離可能に揺動する可動鉄心と、を備えている。また、リレーにおいて、接点機構は、有電圧接点に接続される固定接点部と、可動鉄心の揺動に応じて固定接点部が備える固定接点に接離する可動接点を備えた可動接点部と、を備えている。
【００５１】
リレーは、信号の入力によって通電されたコイルにより磁化された鉄心に可動鉄片を引き寄せ、可動接点を固定接点に接触させることによって閉状態となる。信号が入力されていない場合は、開状態となる。これにより、入力された信号に応じて無電圧接点を開閉することができる。無電圧接点を実現するリレーは、データ出力回路２０２の構造に基づいた数を設けることができる。具体的には、無電圧接点を実現するリレーは、たとえば、６つ設けることができる。
【００５２】
有電圧接点は、それぞれ、各無電圧接点にそれぞれ対応して設けられており、対応する無電圧接点の開閉状態を示す有電圧接点信号を出力する。有電圧接点は、トランジスターなどの半導体素子によって実現することができる。有電圧接点は、電源回路に接続されている。有電圧接点を実現する半導体素子は、無電圧接点を実現するリレーと同数設けられる。
【００５３】
データ出力回路２０２は、複数の入力ポートと、各入力ポートにそれぞれ対応する複数の出力ポートとを備えている。具体的に、データ出力回路２０２は、たとえば、６つの入力ポートと、６つの出力ポートとを備えている。入力ポートは、それぞれ、電圧変換回路２０１の有電圧接点に接続されており、有電圧接点信号の入力を受け付ける。出力ポートは、それぞれ、対応する無電圧接点の開閉状態に応じたテキストデータが割り当てられており、対応する入力ポートに入力された有電圧接点信号に応じたテキストデータを出力する。
【００５４】
データ出力回路２０２は、入力ポートにおいて入力を受け付けた、対応する無電圧接点の開閉状態を示す信号に基づいて、当該入力ポートに対応する出力ポートから出力するテキストデータを特定し、特定されたテキストデータを該当する出力ポートから出力する。これにより、データ出力回路２０２は、各出力ポートから、当該出力ポートに対応する入力ポートに入力された有電圧接点信号が示す無電圧接点の開閉状態に応じたテキストデータを出力することができる。出力ポートは、いずれも無線送信機２０３に接続されている。
【００５５】
具体的には、たとえば、カゴ１０２の扉１０２ａの開閉状態を検知するセンサに接続された無電圧接点に対応する有電圧接点に接続された入力ポートに対応する出力ポートには、「ＤＯＯＲ  ＯＰＥＮ」などのテキストデータを割り当てることができる。これにより、データ出力回路２０２は、カゴ１０２の扉１０２ａの開閉状態を検知するセンサに対応する出力ポートから「ＤＯＯＲ  ＯＰＥＮ」というテキストデータを出力することができる。
【００５６】
出力ポートには、それぞれ、対応する無電圧接点の開閉状態に応じた複数のテキストデータが割り当てられていてもよい。具体的には、たとえば、カゴ１０２の扉１０２ａの開閉状態を検知するセンサに接続された無電圧接点に対応する有電圧接点に接続された入力ポートに対応する出力ポートには、「ＤＯＯＲ  ＯＰＥＮ」と「ＤＯＯＲ  ＯＰＥＮ  ＣＬＥＡＲ」という２種類のテキストデータを割り当てることができる。
【００５７】
これにより、データ出力回路２０２は、カゴ１０２の扉１０２ａの開閉状態を検知するセンサに接続された無電圧接点に対応する有電圧接点に接続された入力ポートに、カゴ１０２の扉１０２ａが所定時間以上継続して開状態となっていることを示す信号（有電圧接点信号）が入力された場合には、対応する出力ポートから「ＤＯＯＲ  ＯＰＥＮ」というテキストデータを出力し、当該信号（有電圧接点信号）の入力が停止した場合に、対応する出力ポートから「ＤＯＯＲ  ＯＰＥＮ  ＣＬＥＡＲ」というテキストデータを出力することができる。
【００５８】
また、具体的には、たとえば、エレベーター１００の電源に接続された無電圧接点に対応する有電圧接点に接続された入力ポートに対応する出力ポートには、「ＰＯＷＥＲ  ＩＳ  ＤＯＷＮ」、「ＰＯＷＥＲ  ＩＳ  ＢＡＣＫ  ＯＮ」という２種類のテキストデータを割り当てることができる。
【００５９】
また、各出力ポートに割り当てられるテキストデータは、物件情報を含んでいてもよい。遠隔監視支援装置２００が設置されたエレベーター１００の所在地、建物名、管理番号などによって実現することができる。具体的には、物件情報は、たとえば、「○○県××市△△ビル」、「○○県××市△丁目○番地」、「○○県××市△丁目○番地△△ビル□号機」などのように示される。物件情報は、具体的な所在地に限らず、管理番号や、略称などによって示されるものであってもよい。
【００６０】
具体的には、出力ポートには、たとえば、「ＰＯＷＥＲ  ＩＳ  ＤＯＷＮ：○○県××市△△ビル」や、「ＰＯＷＥＲ  ＩＳ  ＢＡＣＫ  ＯＮ：○○県××市△△ビル」などのようなテキストメッセージを割り当てることができる。これにより、いずれの物件（エレベーター１００）において不具合が発生したかを容易かつ確実に案内することができる。
【００６１】
無線送信機２０３は、データ出力回路２０２から出力されたテキストデータに基づいて、所定の電話番号を宛先に指定したテキストメッセージを送信する。テキストメッセージは、たとえば、「ＤＯＯＲ  ＯＰＥＮ」などのテキスト（文字）データや、テキストメッセージの送信先となる端末装置に割り当てられた電話番号を特定可能な情報などを含んでいる。テキストメッセージの送信先となる端末装置は、たとえば、エレベーター１００の保守管理をおこなう作業員が携行する携帯型電話機によって実現することができる。
【００６２】
（無線送信機２０３の一例）
つぎに、無線送信機２０３の一例について説明する。図３は、無線送信機２０３の一例を示す説明図である。図３において、無線送信機２０３は、入力端子３０１と、マイコン（ｍｉｃｒｏｃｏｍｐｕｔｅｒ）３０２と、送信回路３０３と、アンテナ３０４と、を備えている。入力端子３０１は、データ出力回路２０２に接続され、データ出力回路２０２から出力された信号をマイコン３０２に出力する。
【００６３】
マイコン３０２は、ＣＰＵ（Ｃｅｎｔｒａｌ  Ｐｒｏｓｓｅｓｉｎｇ  Ｕｎｉｔ）やメモリを備えており、入力端子３０１を介して入力されたテキストデータに基づいてテキストメッセージを生成する。メモリは、たとえば、送信先となる端末装置に割り当てられた電話番号を記憶している。これにより、無線送信機２０３は、テキストメッセージを、電話番号が割り当てられた端末装置に送信することができる。
【００６４】
また、メモリは、自装置に割り当てられた電話番号を記憶している。メモリは、単数であってもよく、複数であってもよい。メモリは、たとえば、ＳＩＭ（Ｓｕｂｓｃｒｉｂｅｒ  Ｉｄｅｎｔｉｔｙ  Ｍｏｄｕｌｅ）カードによって実現してもよい。ＳＩＭカードは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＭＳＩＳＤＮ（Ｍｏｂｉｌｅ  Ｓｕｂｓｃｒｉｂｅｒ  Ｉｎｔｅｒｇｒａｔｅｄ  Ｓｅｒｖｉｃｅ  Ｄｉｇｉｔａｌ  Ｎｅｔｗｏｒｋ  Ｎｕｍｂｅｒ）、ＩＣＣＩＤ（Ｉｎｔｅｇｒａｔｅｄ  Ｃｉｒｃｕｉｔ  Ｃａｒｄ  ＩＤ）、鍵情報などを記憶している。
【００６５】
ＩＭＳＩは、エレベーター１００の遠隔監視支援装置２００（無線送信機２０３）ごとに割り当てられた電話番号を特定するための固有のＩＤ番号（識別情報）を示す。ＩＭＳＩは、１５桁の識別番号であって、ＳＩＭカードに記憶された鍵情報とともに、該当するキャリアのネットワークに接続するための認証に用いられる。ＭＳＩＳＤＮは、１５桁以内の数字によって構成され、いわゆる携帯電話番号を示す。通常は、ＩＭＳＩやＭＳＩＳＤＮは、規制当局によって発行されてキャリアに付与される。ＩＣＣＩＤは、１９桁あるいは２０桁の文字や数字によって構成され、ＳＩＭカード自身のシリアルナンバーを示す。
【００６６】
送信先となる端末装置としてメモリに記憶する電話番号の数は、単数であってもよく、複数であってもよい。メモリに複数の電話番号を記憶する場合、各電話番号に優先順位を設定してもよい。あるいは、各電話番号に、当該電話番号が割り当てられた端末装置との通信が可能な時間帯を関連付けて記憶してもよい。
【００６７】
送信回路３０３は、変調回路、発振器、増幅回路、フィルタなどを備えている。変調回路は、データ列を変調信号にする。発振器は、無線通信に利用できる周波数のＲＦ信号の周波数で発振する。増幅回路は、ＲＦ信号の電力を増幅する。フィルタは、不要な周波数成分を除去した信号をアンテナ３０４に出力する。アンテナ３０４は、送信回路３０３から出力されたテキストメッセージに基づく電波を空間に放射する。
【００６８】
無線送信機２０３は、エレベーター１００の遠隔監視支援装置２００（無線送信機２０３）ごとに割り当てられた固有のＩＤ番号を用いて、回線交換方式による通信をおこなう。具体的に、無線送信機２０３は、ＳＭＳ（Ｓｈｏｒｔ  Ｍｅｓｓａｇｅ  Ｓｅｒｖｉｃｅ）などと称される、テキスト形式のメッセージを送受信するサービスを利用して、指定音声を通す音声回線（トラフィックチャネル）と当該音声回線を制御する信号線（シグナリングチャネル）とから構成される回線交換ネットワーク上での回線交換方式による通信によってテキストメッセージを送信する。
【００６９】
ＳＭＳは、テキストメッセージをＳＭＳセンターサーバコンピューターを経由して送信先の携帯型電話機に送信する、いわゆるセンターメール方式のメッセージサービスであるため、テキストメッセージは、ＳＭＳセンターサーバコンピューターに一旦保存されてから送信先となる携帯型電話機などの端末装置に送信される。このため、テキストメッセージの送信先となる携帯型電話機が通信圏外にあったり電源が入っていなかったりして受信不可能な状態にある場合は、当該携帯型電話機が受信可能な状態になった際に再度当該携帯型電話機に送信される。
【００７０】
これにより、送信先となる携帯型電話機が受信不可能な状態にある場合に送信されたテキストメッセージを、当該携帯型電話機が受信可能な状態になったときに再度送信することができる。また、ＳＭＳを利用することにより、携帯型電話機の通信サービスを提供しているキャリアにかかわらず、テキストメッセージを送信することができる。
【００７１】
エレベーター１００の遠隔監視支援装置２００において、電圧変換回路２０１、データ出力回路２０２、無線送信機２０３は、たとえば、単一の筐体内に収容することができる。この場合、エレベーター１００の遠隔監視支援装置２００は、たとえば、エレベーター１００の機械室に取り付ける。エレベーター１００の最上部に配置される機械室に遠隔監視支援装置２００を取り付けることにより、無線送信機２０３によるテキストメッセージの送信を確実におこなうことができる。
【００７２】
また、エレベーター１００の遠隔監視支援装置２００において、電圧変換回路２０１、データ出力回路２０２、無線送信機２０３は、たとえば、それぞれが分離可能に設けられていてもよい。電圧変換回路２０１、データ出力回路２０２、無線送信機２０３のそれぞれを分離可能に設ける場合、電圧変換回路２０１とデータ出力回路２０２、および、データ出力回路２０２と無線送信機２０３とを、それぞれ配線により接続する。そして、無線機を昇降路の上部など、テキストメッセージの送信に適した場所に取り付ける。これにより、たとえば、「機械室レス」などと称される機械室のないエレベーター１００のように、スペースに制限があるエレベーター１００においても無線送信機２０３によるテキストメッセージの送信を確実におこなうことができる。
【００７３】
なお、上述した実施の形態においては、無線送信機２０３から、携帯型電話機の通信サービスを提供しているキャリアのＳＭＳセンターサーバコンピューターから作業員が携行する携帯型電話機にエレベーター１００の状態を通知するテキストメッセージを送信する例を示したが、これに限るものではない。テキストメッセージは、たとえば、ＳＭＳ対応ＳＩＭカードを装着した端末装置に送信してもよい。ＳＭＳ対応ＳＩＭカードを装着した端末装置は、具体的には、たとえば、タブレット端末などと称されるタブレット型コンピュータによって実現することができる。
【００７４】
（タブレット型コンピュータの一例）
図４は、タブレット型コンピュータの一例を示す説明図である。図４に示すように、タブレット型コンピュータ４００は、平板形状をなす筐体４０１を備えている。筐体４０１の一面側には、タッチスクリーン４０２が設けられている。タッチスクリーン４０２は、ディスプレイと、ディスプレイの表示面側に積層されたタッチパネルと、によって構成されている（図５を参照）。
【００７５】
筐体４０１には、ＳＩＭカードスロット４０３が設けられている。ＳＩＭカードスロット４０３は、筐体４０１に設けられた凹部と、凹部内に設けられたスロット端子（図５を参照）と、を備えている。また、ＳＩＭカードスロット４０３は、ＳＩＭカードの挿入を受け付けるスロットであって、筐体４０１に設けられた凹部に引き出し可能に挿入されるＳＩＭホルダーを備えている。ＳＩＭホルダーは、ＳＩＭカード４０４を保持した状態で凹部に挿入されることにより、ＳＩＭカード４０４が備えるＩＣチップ４０４ａとスロット端子に接触させる。
【００７６】
（タブレット型コンピュータ４００のハードウエア構成）
つぎに、タブレット型コンピュータ４００のハードウエア構成について説明する。図５は、タブレット型コンピュータ４００のハードウエア構成を示す説明図である。図５に示すように、タブレット型コンピュータ４００のハードウエア構成は、ＣＰＵ（Ｃｅｎｔｒａｌ  Ｐｒｏｃｅｓｓｉｎｇ  Ｕｎｉｔ）５０１と、メモリ５０２と、ネットワークＩ／Ｆ（ＩｎｔｅｒＦａｃｅ）５０３と、スロット端子５０４と、ディスプレイ５０５と、タッチパネル５０６と、を備えている。コンピュータ装置が備える各部５０１〜５０６は、それぞれ、バス５１０によって接続されている。
【００７７】
ＣＰＵ５０１は、タブレット型コンピュータ４００の全体の制御をつかさどる。メモリ５０２は、ブートプログラムなどのプログラムや各種のデータベースを構成するデータなどを記憶している。具体的に、メモリ５０２は、たとえば、エレベーター１００の遠隔監視支援装置２００から送信されるテキストメッセージを表示する表示制御プログラムや物件管理データベース（図６を参照）などを記憶している。
【００７８】
また、メモリ５０２は、ＣＰＵ５０１のワークエリアとして使用される。メモリ５０２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＮＡＮＤメモリとＮＡＮＤメモリの制御をおこなうＮＡＮＤメモリコントローラとによって構成されるＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）などによって実現することができる。
【００７９】
ネットワークＩ／Ｆ５０３は、回線交換ネットワークに接続され、タブレット型コンピュータ４００の内部と遠隔監視支援装置２００とのインターフェイスをつかさどる。また、ネットワークＩ／Ｆ５０３は、インターネットなどのネットワークに接続されていてもよく、コンピュータ装置の内部と外部装置とのインターフェイスをつかさどる。
【００８０】
スロット端子５０４は、ＳＩＭカードスロット４０３に挿入されたＳＩＭカード４０４（のＩＣチップ４０４ａ）に接触して、ＣＰＵ５０１の制御によって当該ＳＩＭカードに記憶されているＩＭＳＩやＭＳＩＳＤＮなどを読み取り、読み取ったデータをＣＰＵ５０１へ出力する。
【００８１】
ディスプレイ５０５は、ＣＰＵ５０１によって制御されて、エレベーター１００の遠隔監視支援装置２００から送信されたテキストメッセージに基づくテキストデータを表示する。ＣＰＵ５０１は、エレベーター１００の遠隔監視支援装置２００から送信されたテキストメッセージに基づいて、物件管理データベースを参照して、物件情報と関連づけてテキストデータをディスプレイ５０５に表示させる（図７を参照）。
【００８２】
ディスプレイ５０５は、主に液晶ディスプレイや有機ＥＬ（Ｅｌｅｃｔｒｏ−Ｌｕｍｉｎｅｓｃｅｎｃｅ）ディスプレイなどによって実現することができる。液晶ディスプレイによって実現されるディスプレイ５０５は、光源として、バックライトを備えていてもよい。
【００８３】
タッチパネル５０６は、指やペンなどが接触したことを検出した場合に、タッチパネル５０６に対する指やペンなどの接触位置、すなわち、操作キーに応じた電気信号をＣＰＵ５０１に出力する。具体的に、タッチパネル５０６は、たとえば、上記の転送を指示する操作キーが操作された場合に、当該操作キーに応じた電気信号をＣＰＵ５０１に出力する。タッチパネル５０６は、電磁誘導方式、抵抗膜方式や静電容量方式、音響パルス認識方式、超音波表面弾性波方式、赤外遮光方式、画像認識方式など公知の各種の方式のものを用いることができる。タブレット型コンピュータ４００は、さらに、マイクやスピーカーを備えていてもよい。
【００８４】
（物件管理データベースの一例）
つぎに、物件管理データベースの一例について説明する。図６は、物件管理データベースの一例を示す説明図である。図６において、物件管理データベース６００は、エレベーター１００の遠隔監視支援装置２００のそれぞれに割り当てられた識別情報と、当該識別情報が割り当てられた物件情報と、を関連づけて記憶する。遠隔監視支援装置２００の識別情報は、具体的には、たとえば、ＳＩＭカード４０４に記憶されたＩＭＳＩやＭＳＩＳＤＮによって実現することができる。
【００８５】
物件情報は、たとえば、遠隔監視支援装置２００が設置されたエレベーター１００の所在地、建物名、管理番号などによって実現することができる。具体的には、物件情報は、たとえば、「○○県××市△△ビル」、「○○県××市△丁目○番地」、「○○県××市△丁目○番地△△ビル□号機」などのように示される。
【００８６】
また、たとえば、「○○  ＢＵＩＬＤＩＮＧ，  ＥＡＳＴ  ××，  △△  ＰＬＡＣＥ，  ＮＥＷ  ＤＥＬＨＩ」のような所在地である場合、「○○  ＢＵＩＬＤ．，  ＥＡＳＴ  ××，  △△  ＰＬＡＣＥ，  ＮＥＷ  ＤＥＬＨＩ」のように、タブレット型コンピュータ４００を携行する作業員が理解できる範囲で、一部を略したテキストデータとしてもよい。物件情報は、単語あるいは短文であることが好ましい。
【００８７】
物件管理データベース６００において、遠隔監視支援装置２００の識別情報と物件情報とを関連づけて記憶することにより、ディスプレイに表示されたテキストデータにかかるテキストメッセージの送信元の遠隔監視支援装置２００が設置されたエレベーター１００が、いずれのエレベーター１００であるかを案内することができる。
【００８８】
（作業員管理データベースの一例）
つぎに、作業員管理データベースの一例について説明する。作業員管理データベースは、作業員の識別情報ごとに、当該作業員が携行する携帯型電話機に割り当てられた電話番号を関連付けて記憶している。
【００８９】
作業員の識別情報は、作業員ごとに固有の情報であって、たとえば、社員番号によって実現することができる。また、作業員管理データベースは、作業員の識別情報ごとに、当該作業員の氏名や、保守管轄エリアに関する情報などを関連付けて記憶していてもよい。
【００９０】
（表示画面の一例）
つぎに、タブレット型コンピュータ４００のディスプレイにおける表示画面の一例について説明する。図７は、表示画面の一例を示す説明図である。図７において、表示画面７０１は、ディスプレイ５０５に表示される。表示画面７０１は、エレベーター１００の状況を示すテキストデータと、当該テキストデータにかかるテキストメッセージの送信元の遠隔監視支援装置２００が設置されたエレベーター１００の物件情報と、を表示する。
【００９１】
テキストデータは、たとえば、「ＤＯＯＲ  ＯＰＥＮ」、「ＤＯＯＲ  ＯＰＥＮ  ＣＬＥＡＲ」、「ＰＯＷＥＲ  ＩＳ  ＤＯＷＮ」、「ＰＯＷＥＲ  ＩＳ  ＢＡＣＫ  ＯＮ」、「ＦＩＲＥ」、「ＥＸＴＩＮＧＵＩＳＨＥＤ」など、タブレット型コンピュータ４００を携行する作業員が、エレベーター１００の状況を迅速かつ正確に判断できる単語あるいは短文であることが好ましい。
【００９２】
物件情報は、対応するテキストデータの近傍に表示する。これにより、テキストデータが示すエレベーター１００の状況が、いずれのエレベーター１００に設置された遠隔監視支援装置２００から送信されたものであるかを迅速かつ正確に案内することができる。具体的に、物件情報は、テキストデータと同一行に表示する。
【００９３】
また、表示画面７０１は、エレベーター１００の遠隔監視にかかる各種の操作キーを表示してもよい。具体的には、たとえば、ディスプレイ５０５は、たとえば、表示中のテキストデータにかかるテキストメッセージの転送を指示する操作キー７０２を表示する。この場合、タッチパネル５０６において、転送を指示する操作キー７０２の操作を受け付けると、ＣＰＵ５０１は、たとえば、ディスプレイ５０５を制御して、転送先を選択する画面（図示を省略する）を表示する。
【００９４】
テキストメッセージの転送先は、たとえば、エレベーター１００の保守管理をおこなう作業員が携行する携帯型電話機とすることができる。このように、エレベーター１００の状況を示すテキストメッセージを、エレベーター１００の遠隔監視支援装置２００から、タブレット型コンピュータ４００のようなＳＭＳ対応ＳＩＭカードを装着した端末装置に送信し、その後、タブレット型コンピュータ４００から、作業員が携行する携帯型電話機に送信することにより、複数台のエレベーター１００のそれぞれに設置された遠隔監視支援装置２００から送信されるテキストメッセージをタブレット型コンピュータ４００に集約することができる。これにより、タブレット型コンピュータ４００を用いて、複数台のエレベーター１００の遠隔監視を一括しておこなうことができる。
【００９５】
（タブレット型コンピュータ４００の処理手順）
つぎに、タブレット型コンピュータ４００の処理手順について説明する。図８は、タブレット型コンピュータ４００の処理手順を示すフローチャートである。図８に示すフローチャートにおいて、まず、エレベーター１００の遠隔監視支援装置２００から送信されたテキストメッセージを受信するまで待機する（ステップＳ８０１：Ｎｏ）。
【００９６】
ステップＳ８０１において、エレベーター１００の遠隔監視支援装置２００から送信されたテキストメッセージを受信した場合（ステップＳ８０１：Ｙｅｓ）、受信されたテキストメッセージに基づいて、物件情報を特定する（ステップＳ８０２）。ステップＳ８０２においては、まず、ステップＳ８０１において受信されたテキストメッセージから、当該テキストメッセージの送信元の遠隔監視支援装置２００の識別情報（ＩＭＳＩやＭＳＩＳＤＮなど）を抽出する。そして、物件管理データベース６００を参照して、抽出された識別情報と同じ識別情報に対応付けられた物件情報を、対象の物件情報として特定する。
【００９７】
また、ステップＳ８０１：Ｙｅｓにおいて受信されたテキストメッセージから、テキストデータを抽出する（ステップＳ８０３）。その後、ディスプレイ５０５に、ステップＳ８０２において特定された物件情報、ステップＳ８０３において抽出されたテキストデータ、および、ステップＳ８０１においてテキストメッセージを受信した日時に関する日時情報を表示して（ステップＳ８０４）、一連の処理を終了する。
【００９８】
ステップＳ８０４においては、たとえば、あたらしく受信したテキストメッセージほど、表示画面４００の上段に表示されるように、各テキストメッセージに基づくテキストデータなどを表示する。これにより、作業員などに対して、最新のテキストデータを分かりやすく案内することができる。
【００９９】
複数台の遠隔監視支援装置２００からの複数のテキストメッセージを、１台のタブレット型コンピュータ４００に集約し、当該タブレット型コンピュータ４００から該当する携帯型電話機にテキストメッセージを転送することにより、高性能のサーバコンピュータを導入するなどして構築や維持にコストがかかって維持管理にかかる負担が大きいシステムを構築することなく、エレベーター１００の遠隔監視を容易かつ安価に実現することができる。
【０１００】
なお、テキストメッセージの転送先は、たとえば、エレベーター１００の保守管理を担う保守管理会社などに設置される、管理サーバコンピュータであってもよい。管理サーバコンピュータは、監視対象となるエレベーター１００が設置されている場所とは異なる、当該エレベーター１００が設置されている場所から離れた遠隔地に設置される。
【０１０１】
管理サーバコンピュータは、たとえば、ＣＰＵ、ＲＯＭやＲＡＭあるいはＨＤなどの記憶媒体、外部装置とのインターフェイス（いずれも図示を省略する）などを備えたコンピュータ装置によって実現することができる。管理サーバコンピュータのメモリには、物件管理データベース具体的には、管理サーバコンピュータは、たとえば、パーソナルコンピュータなどのコンピュータ装置によって実現することができる。管理サーバコンピュータは、キーボードやマウスなどの入力デバイスや、ディスプレイなどを備えていてもよい。
【０１０２】
タブレット型コンピュータ４００から管理サーバコンピュータに転送したテキストメッセージは、たとえば、管理サーバコンピュータと携帯型電話機のようにＳＭＳを利用したテキストメッセージの受信が可能な端末装置とを同期し、当該端末装置が受信したテキストメッセージを当該端末装置から管理サーバコンピュータに割り当てられたＩＰアドレスを指定して送信する専用のアプリケーションを用いることによって、管理サーバコンピュータにおいて容易に表示させることができる。このような専用のアプリケーションは、公知の技術を用いて実現される汎用的な技術であるため、説明を省略する。これにより、管理サーバコンピュータに対しても、端末装置において受信する場合と同様に、テキストデータによりエレベーター１００の状態を確実に通知することができる。
【０１０３】
このように、複数台の遠隔監視支援装置２００からの複数のテキストメッセージを、タブレット型コンピュータ４００を介して管理サーバコンピュータに転送することにより、管理サーバコンピュータにおいても、タブレット型コンピュータ４００と同様に、複数台のエレベーター１００の遠隔監視を一括しておこなうことができる。
【０１０４】
また、管理サーバコンピュータは、ＳＩＭカードスロットを備えていてもよい。これにより、管理サーバコンピュータにＳＩＭカードを装着することによって、エレベーター１００の遠隔監視支援装置２００から送信されるテキストメッセージを、直接、管理サーバコンピュータにおいて受信することができる。
【０１０５】
これにより、複数台のエレベーター１００の遠隔監視を管理サーバコンピュータによって一括しておこなうことができる。また、ＳＩＭカードスロットを備えた管理サーバコンピュータにより、遠隔監視支援装置２００から送信されるテキストメッセージを、管理サーバコンピュータから、作業員が携行する携帯型電話機にテキストメッセージ送信することができる。
【０１０６】
以上説明したように、この実施の形態のエレベーター１００の遠隔監視支援装置２００は、エレベーター１００の状態に応じて信号を出力する複数の構成部のうちのいずれか一つの構成部にそれぞれ接続され入力された信号に応じて開閉する複数の無電圧接点と、各無電圧接点にそれぞれ対応する複数の有電圧接点とを備え、有電圧接点から、対応する無電圧接点の開閉状態を示す有電圧接点信号を出力する電圧変換回路２０１と、電圧変換回路２０１の有電圧接点にそれぞれ接続される複数の入力ポートと、各入力ポートにそれぞれ対応する複数の出力ポートとを備え、出力ポートから、対応する入力ポートに入力された有電圧接点信号に応じたテキストデータを出力するデータ出力回路２０２と、データ出力回路２０２から出力されたテキストデータに基づいて、所定の電話番号を宛先に指定したテキストメッセージを送信する無線送信機２０３と、を備えたことを特徴としている。
【０１０７】
この発明にかかる実施の形態のエレベーター１００の遠隔監視支援装置２００によれば、エレベーター１００の状態に応じたテキストメッセージを、所定の電話番号が割り当てられた端末装置に送信することができる。すなわち、エレベーター１００の制御盤をクライアントとして当該クライアントにサービスを提供するサーバコンピュータを備えたシステムを構築することなく、キャリアが提供する通信サービスのみを利用して、所定の電話番号が割り当てられた端末装置を携行する作業員にエレベーター１００の状態を通知することができる。これにより、エレベーター１００の遠隔監視を容易かつ安価に実現することができる。
【０１０８】
また、この発明にかかる実施の形態のエレベーター１００の遠隔監視支援装置２００によれば、所定の電話番号が割り当てられた端末装置に対して、無電圧接点の開閉状態、すなわち、エレベーター１００の状態を示すテキストメッセージを送信することにより、当該テキストメッセージを受信した端末装置を携行する作業員に、エレベーター１００の状態を確実に通知することができる。
【０１０９】
さらに、この発明にかかる実施の形態のエレベーター１００の遠隔監視支援装置２００によれば、端末装置に割り当てられた電話番号に基づいて当該電話番号が割り当てられた端末装置にテキストメッセージを送信する、いわゆるＳＭＳを利用することにより、エレベーター１００の遠隔監視支援装置２００が送信したテキストメッセージを、当該テキストメッセージの送信先となる端末装置に確実に受信させることができる。これにより、作業員に対するエレベーター１００の状態の通知確認を確実におこなうことができる。
【０１１０】
また、この発明にかかる実施の形態のエレベーター１００の遠隔監視支援装置２００によれば、エレベーター１００を監視する作業員をエレベーター１００の設置場所に常駐させることなく、エレベーター１００の状態を常に遠隔監視することができるので、エレベーター１００において異常が発生する前の変調段階で当該異常の前兆を作業員に通知することができ、エレベーター１００において異常が発生する前に当該異常を回避する対応をとることができる。これにより、エレベーター１００の利用者の安全性および利便性を確保することができる。
【０１１１】
このように、この発明にかかる実施の形態のエレベーター１００の遠隔監視支援装置２００によれば、エレベーター１００の利用者の安全性および利便性を確保できるエレベーター１００を容易かつ安価に実現することができる。
【０１１２】
また、この発明にかかる実施の形態のエレベーター１００の遠隔監視支援装置２００によれば、エレベーター１００が備える各部のうちの該当する構成部と無電圧接点とを接続し、機械室などに無線送信機２０３を設置するだけの作業で、通信機能を備えていないエレベーター１００の遠隔監視を実現することができる。これにより、設置時においては遠隔監視を想定していなかったエレベーター１００の遠隔監視を容易かつ迅速に実現することができる。
【０１１３】
そして、これにより、通信機能を備えていないエレベーター１００の遠隔監視を実現するための工事にかかる工期が長くなることによってエレベーター１００を使用できない期間が長くなってしまうことを回避し、エレベーター１００の利用者に不便をかけることなく、エレベーター１００の遠隔監視を実現することができる。
【０１１４】
また、この発明にかかる実施の形態のエレベーター１００の遠隔監視支援装置２００によれば、独立系の保守管理会社が、エレベーター１００の遠隔監視をおこなうことができる。これにより、エレベーター１００が設置された建物の所有者などのエレベーター１００の管理責任者は、メーカーなどに限定することなく、独立系の保守管理会社やメーカーなどの複数の業者の中から選定した業者に対してエレベーター１００の遠隔監視をおこなわせることによって、エレベーター１００の安全性を確保することができる。
【０１１５】
このように、独立系の保守管理会社がメーカーなどと同等の遠隔監視をおこなうことを可能とすることにより、エレベーター１００の安全性を確保した上で、エレベーター１００の遠隔監視をメーカーなどが独占する場合と比較して、同等の遠隔監視をおこなうために要する保守管理費の低減を図ることができる。これによっても、エレベーター１００の利用者の安全性および利便性を確保できるエレベーター１００を容易かつ安価に実現することができる。
【０１１６】
また、この発明にかかる実施の形態のエレベーター１００の遠隔監視支援装置２００は、出力ポートには、それぞれ、対応する無電圧接点の開閉状態に応じた複数のテキストデータが割り当てられており、データ出力回路２０２が、出力ポートから、対応する入力ポートに入力された有電圧接点信号が示す無電圧接点の開閉状態に応じたテキストデータを出力することを特徴としている。
【０１１７】
この発明にかかる実施の形態のエレベーター１００の遠隔監視支援装置２００によれば、各出力ポートから、対応する無電圧接点の開閉状態に応じて異なるテキストメッセージを送信することができる。これにより、簡易な構成によって、エレベーター１００の状態を詳細に通知することができる。これによって、エレベーター１００の利用者の安全性および利便性を確保でき、容易かつ安価に実現することができるエレベーター１００の遠隔監視の信頼性を確保することができる。
【０１１８】
なお、この発明にかかるエレベーター１００の遠隔監視支援装置２００は、テキストデータに代えて、それぞれの出力ポートにバイナリデータを割り当て、データ出力回路２０２が、出力ポートから、対応する入力ポートに入力された有電圧接点信号が示す無電圧接点の開閉状態に応じたバイナリデータを出力するようにしてもよい。
【０１１９】
ＡＳＣＩＩコードなどの文字コードにしたがってアルファベットや数字、記号などを示すテキストデータは、文字に対して割り当てられた数値を用いてコンピュータ上において文字を表現する。これに対し、バイナリデータは、文字としての意味が与えられたテキストデータとは異なり、そのまま値として扱うことができる。バイナリデータは、ＯＳ（Ｏｐｅｒａｔｉｏｎ  Ｓｙｓｔｅｍ）やアプリケーションなどのプラットフォームにしたがった変換が不要となる。
【０１２０】
このように、テキストデータに代えてバイナリデータを用いることにより、少ない容量で多くのデータを保持することができるため、テキストデータと同様の内容の情報の通信にかかるデータサイズを小さくすることができ、通信速度の向上を図ることができる。そして、これにより、テキストデータに代えてバイナリデータを用いることにより、エレベーター１００の状態をより詳細に、かつ、迅速に通知することができる。
【産業上の利用可能性】
【０１２１】
以上のように、この発明にかかるエレベーターの遠隔監視支援装置は、エレベーターの遠隔監視を支援するエレベーターの遠隔監視支援装置に有用であり、特に、設置時に通信機能を備えていないエレベーターの遠隔監視を支援するエレベーターの遠隔監視支援装置に適している。
【符号の説明】
【０１２２】
１００  エレベーター
２００  遠隔監視支援装置
２０１  電圧変換回路
２０２  データ出力回路
２０３  無線送信機
３０１  入力端子
３０２  マイコン
３０３  送信回路
３０４  アンテナ
４００  タブレット型コンピュータ
５０１  ＣＰＵ
５０２  メモリ
５０３  ネットワークＩ／Ｆ
５０５  ディスプレイ
５０６  タッチパネル
７０１  表示画面
【図１】
2019224928.tif 000003
【図２】
2019224928.tif 000004
【図３】
2019224928.tif 000005
【図４】
2019224928.tif 000006
【図５】
2019224928.tif 000007
【図６】
2019224928.tif 000008
【図７】
2019224928.tif 000009
【図８】
2019224928.tif 000010
【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
遠隔監視支援装置と、当該遠隔監視支援装置と無線通信によって接続された、表示画面を備えた表示端末装置と、から構成され、
前記遠隔監視支援装置は、
エレベーターの状態に応じた信号を出力する複数の構成部のうちのいずれか一つの構成部にそれぞれ接続され入力された信号に応じて開閉する複数の無電圧接点と、各前記無電圧接点にそれぞれ対応する複数の有電圧接点とを備え、前記有電圧接点から、対応する前記無電圧接点の開閉状態を示す有電圧接点信号を出力する電圧変換回路と、
前記電圧変換回路の有電圧接点にそれぞれ接続される複数の入力ポートと、各前記入力ポートにそれぞれ対応する複数の出力ポートとを備え、前記出力ポートには、それぞれ、対応する前記無電圧接点の開閉状態に応じた複数のテキストデータが割り当てられており、前記出力ポートから、対応する前記入力ポートに入力された前記有電圧接点信号が示す前記無電圧接点の開閉状態に応じたテキストデータを出力するデータ出力回路と、
前記データ出力回路から出力されたテキストデータを基づいて、前記表示端末装置へテキストメッセージを無線送信する無線送信機と、
を備え、
前記表示端末装置は、
前記無線送信機から送信されたテキストメッセージを受信する受信部と、
前記受信部が、前記無線送信機から前記テキストメッセージを受信するまで待機し、当該テキストメッセージを受信した場合に、当該テキストメッセージからテキストデータを抽出し、抽出されたテキストデータを前記表示画面に表示して、前記エレベーターの状況を通知する表示制御部と、
を備えたことを特徴とするエレベーターの状況通知システム。
【請求項２】
前記テキストデータは、前記エレベーターの状況を判断可能な単語あるいは短文からなることを特徴とする請求項１に記載のエレベーターの状況通知システム。
【請求項３】
前記表示制御部は、あたらしく受信したテキストメッセージほど、前記表示画面の上段に表示されるように、各テキストメッセージに基づくテキストデータを表示することを特徴とする請求項１または２に記載のエレベーターの状況通知システム。
【請求項４】
前記表示端末装置は、マイクおよびスピーカーの少なくともいずれかを備えていることを特徴とする請求項１〜３のいずれか一つに記載のエレベーターの状況通知システム。
【請求項５】
前記表示端末装置は、平板形状をなす筐体を備えていることを特徴とする請求項１〜４のいずれか一つに記載のエレベーターの状況通知システム。
【手続補正３】
【補正対象書類名】明細書
【補正対象項目名】０００１
【補正方法】変更
【補正の内容】
【０００１】
この発明は、エレベーターの遠隔監視を支援するエレベーターの遠隔監視支援装置およびエレベーターの状況を通知するエレベーターの状況通知システムに関する。
【手続補正４】
【補正対象書類名】明細書
【補正対象項目名】００１２
【補正方法】変更
【補正の内容】
【００１２】
また、この発明にかかるエレベーターの状況通知システムは、遠隔監視支援装置と、当該遠隔監視支援装置と無線通信によって接続された、表示画面を備えた表示端末装置と、から構成され、前記遠隔監視支援装置が、エレベーターの状態に応じた信号を出力する複数の構成部のうちのいずれか一つの構成部にそれぞれ接続され入力された信号に応じて開閉する複数の無電圧接点と、各前記無電圧接点にそれぞれ対応する複数の有電圧接点とを備え、前記有電圧接点から、対応する前記無電圧接点の開閉状態を示す有電圧接点信号を出力する電圧変換回路と、前記電圧変換回路の有電圧接点にそれぞれ接続される複数の入力ポートと、各前記入力ポートにそれぞれ対応する複数の出力ポートとを備え、前記出力ポートには、それぞれ、対応する前記無電圧接点の開閉状態に応じた複数のテキストデータが割り当てられており、前記出力ポートから、対応する前記入力ポートに入力された前記有電圧接点信号が示す前記無電圧接点の開閉状態に応じたテキストデータを出力するデータ出力回路と、前記データ出力回路から出力されたテキストデータを基づいて、前記表示端末装置へテキストメッセージを無線送信する無線送信機と、を備え、前記表示端末装置が、前記無線送信機から送信されたテキストメッセージを受信する受信部と、前記受信部が、前記無線送信機から前記テキストメッセージを受信するまで待機し、当該テキストメッセージを受信した場合に、当該テキストメッセージからテキストデータを抽出し、抽出されたテキストデータを前記表示画面に表示して、前記エレベーターの状況を通知する表示制御部と、を備えたことを特徴とする。
【手続補正５】
【補正対象書類名】明細書
【補正対象項目名】００１３
【補正方法】変更
【補正の内容】
【００１３】
また、この発明にかかるエレベーターの状況通知システムは、上記の発明において、前記テキストデータが、前記エレベーターの状況を判断可能な単語あるいは短文からなることを特徴とする。
また、この発明にかかるエレベーターの状況通知システムは、上記の発明において、前記表示制御部が、あたらしく受信したテキストメッセージほど、前記表示画面の上段に表示されるように、各テキストメッセージに基づくテキストデータを表示することを特徴とする。
また、この発明にかかるエレベーターの状況通知システムは、上記の発明において、前記表示端末装置が、マイクおよびスピーカーの少なくともいずれかを備えていることを特徴とする。
また、この発明にかかるエレベーターの状況通知システムは、上記の発明において、前記表示端末装置が、平板形状をなす筐体を備えていることを特徴とする。
【手続補正６】
【補正対象書類名】明細書
【補正対象項目名】００１４
【補正方法】変更
【補正の内容】
【００１４】
この発明にかかるエレベーターの遠隔監視支援装置およびエレベーターの状況通知システムによれば、エレベーターの利用者の安全性および利便性を確保できるエレベーターを容易かつ安価に実現することができるという効果を奏する。
【手続補正７】
【補正対象書類名】明細書
【補正対象項目名】００１６
【補正方法】変更
【補正の内容】
【００１６】
以下に添付図面を参照して、この発明にかかるエレベーターの遠隔監視支援装置およびエレベーターの状況通知システムの好適な実施の形態を詳細に説明する。
【手続補正８】
【補正対象書類名】明細書
【補正対象項目名】０１２１
【補正方法】変更
【補正の内容】
【０１２１】
以上のように、この発明にかかるエレベーターの遠隔監視支援装置は、エレベーターの遠隔監視を支援するエレベーターの遠隔監視支援装置に有用であり、特に、設置時に通信機能を備えていないエレベーターの遠隔監視を支援するエレベーターの遠隔監視支援装置に適している。また、この発明にかかるエレベーターの状況通知システムは、エレベーターの状況を通知するエレベーターの状況通知システムに有用であり、特に、エレベーターの状況を通知する機能を備えていないエレベーターにおいて当該エレベーターの状況を通知するエレベーターの状況通知システムに適している。
【国際調査報告】
2019224928.tif 000011
2019224928.tif 000012
2019224928.tif 000013
2019224928.tif 000014